(57)【要約】【課題】  手の指が拘縮して握り込んだ状態が続くと、指間が蒸れてきて指間のただれや切創、悪臭等いろいろの障害を引き起こす原因となります。現状での指間の蒸れ予防としては、ガーゼ等布を直接指に巻きつけたり指間に差し込んで縛って固定する、又は指の差込み穴が付いた物や指間に挟む物が付いた握り物を握り続ける等、指と指が密着しない方法ではあるが、拘縮した指を直接利用して縛ったり、差し込んだり、握らせたりするのには無理がある上に指に掛る負担が大きい。特に握り方式のものは、握っている物が落ちないように指に力を入れて握り続ける為に拘縮を進行させる恐れがあります。【解決手段】  拘縮している指でも装着が簡単で、指に直接負担をかけず、握る必要もないように、拘縮している指が外に出る筒状のサポーターに指仕切り布を縫いつけて組み合わせる事により、サポーターを装着すれば指の仕切りができるようにした用具です。【選択図】図４
2007229421.tif 000002
【特許請求の範囲】
【請求項１】
手の親指を差込む為の親指差込開口部（１）を有し、親指以外の４本の指が外に出る筒状の構造をした手を覆うサポーター（２）の上部開口部（３）両端に、指を仕切ることができる長さの紐状の指仕切り布（８）の両端を縫い付けて組み合わせ使用する構造の、指仕切り布付き手のサポーター。
【発明の詳細な説明】
【発明の詳細な説明】
【技術分野】
【０００１】  本発明は、手の指が拘縮して握り込んだままの状態になると、指と指の皮膚同士が密着したままとなり、指と指の間が蒸れ、それが原因で指間のただれや切創、悪臭発生等いろいろの障害を引き起こすことになります。これら障害を予防する為の用具に関するものである。
【背景技術】
【０００２】  従来、手の指間の蒸れを防止する方法としては、ガーゼ等の布を直接指に巻きつけたり指間に差し込んで縛って固定する、又は指の差込穴が付いた物や指間に挟む物が付いた握り物を握り続ける等、指と指が密着しない手段がとられています。
【発明が解決しようとする課題】
【０００３】  従来の方法では、拘縮した指を別々にガーゼ等布で直接巻きつけたりガーゼ等を丸めて指の間に差し込んで固定する方法は、その物が指から外れないように何らかの方法で縛り付けて固定する必要があり、介護する側には相当の手間が掛かるのと、患者には縛り付けた感触が悪くて嫌がられます。
【０００４】  各指を指の差込穴に差し込む方法は、指が拘縮している患者にとって各指を全ての穴に差し込むのには苦労します。
【０００５】  指と指の間に挟む物が付いた物を握る方式の用具は、握っている物が落ちないように指に力を入れて握り続けなくてはならず、指の拘縮度を進行させる恐れがあり、握り用具が掌に密着している状態となる為に、指間に近い掌が蒸れ易い等の欠点があります。
【０００６】  本発明は、指と指の間の蒸れを防止する為のこれら従来の技術の有する問題点を解決する手段として、拘縮している指でも装着が簡単で各指の仕切りも簡単にできる、指に直接負担を掛けない、そして装着感が良くて、指で握り続ける必要がない、指の拘縮を進行させる恐れもない用具を提供しようとするものです。
【課題を解決するための手段】
【０００７】  上記目的を達成する為に、サポーターと、紐状の指仕切り布を組み合わせることにより、そのサポーターを装着すれば指仕切り布は指から外れることがなく、装着も簡単で握りこんだ状態の指でも指間を簡単に仕切ることが可能となり、指に直接負担が掛かる仕切り布を縛ったり、蒸れ防止用具を力を入れて握り続ける必要もなくなります。
【実施例】
【０００８】  考案の実施例について図面を参照して説明します。
図１において、指仕切り布と組み合わせる手のサポーターは、手の親指を差し込む為の親指差込開口部（１）を有し、親指以外の４本の指が外に出る筒状の手のサポーター（２）で、表、裏が同形状のものとする。尚、親指差込開口部はサポーターの表と裏が重なる側面の片方に親指差込位置から下までを切り裂き、親指を差し込んだ後に下の切り裂き部を重ね合わせて使用者の手の大きさに合った締め付け調整をしながら、接着面テープ（４）でサポーターの装着を固定できるものとする。【０００９】    図２において、指仕切り布と組み合わせるサポーターに、手の拘縮緩和と蒸れを防止する目的で私が考案し現在は手続補正書提出中となっている出願番号が特願２００３−８１０４９の握り玉を入れて使用する左右兼用型の両面ポケット付特殊サポーター（７）を使用すると、指間だけでなく掌部分の蒸れも防止することができる上に手の拘縮緩和も図ることができて両方の効果が１つの用具に生かされることになります。【００１０】  図３において、指仕切り布（８）の構造は１本の紐状の布ではあるが、単に感触の良い布紐の他に、布をパイプ状に縫って紐状のものとしてその中には何も入れず空気だけの物や、または綿や吸湿材等を詰めて指仕切り布とすることもできます。布の材質に於いても伸縮性のある布を使えば指に引っ掛けやすくなります。【００１１】  図４はサポーターと指仕切り布の組み合わせ図です。サポーターの４本の指が出る上部開口部（３）の両端に、１本の指仕切り布（８）の両端を縫い付ける（９）ことにより、両者を組み合わせた指仕切り布付き手のサポーターが出来ます。
両面ポケット付サポーターと組み合わせるのも同じ方法です。
尚、この組み合わせサポーターは、表、裏面が同形状の為に、１つで左手、右手どちらでも使える左右兼用型となります。【００１２】  図５において装着使用方法を説明します。
指仕切り布が付いたサポーターを手に装着し親指差込位置から下の切り裂き部を重ね合わせて接着面テープ（４）で固定した後、握り込んだ状態の各指先に紐状の指仕切り布（８）を上下が互い違いになるように順番に引っ掛けて指間の奥まで押し込むことで、指と指の間に仕切り布が挟まれた状態となります。
【発明の効果】
【００１３】  本考案により、指を固く握った状態で拘縮してしまった人でも、指を無理して開けなくても、指を握った状態のままで指仕切り布を簡単に各指に引っ掛けて指を仕切ることができるようになります。
【００１４】  指仕切り布はサポーターに縫い付けられているので、サポーターを装着すれば、指仕切り布は外れて落ちることはなく、指に縛り付ける必要も、指に力を入れて握り続ける必要もなくなり、装着感触も良く、特に従来のように指間の蒸れ防止用具を握り続けることで指の拘縮を進行させる恐れがあった問題も解決することができます。
【００１５】  図２の手の拘縮緩和と蒸れ防止を目的としたポケット付特殊サポーターと組み合わせれば、指間だけの蒸れ防止だけでなく掌の蒸れも防止できる上に指の拘縮緩和も図ることが出来るので、拘縮度合や、蒸れ度合いが違う広範囲の患者の方に使用していただけることになります。
【００１６】  図１のサポーター及び、図２の両面ポケット付特殊サポーターに指仕切り布を組み合わせた物は共に左手右手兼用構造となり、商品化した場合には、製造、在庫、販売、使用においてとても合理的であり便利です。
【００１７】  指はサポーターから外に出ているので通気性が良く、各指同士は仕切られ密着しないので指間の蒸れが防止できる一方で、指から下はサポーターで覆われた状態となり、手全体が適度に温かく、動かすことが困難な手の血液循環を促すことに役立ちます。
【図面の簡単な説明】
【図１】  サポーター
【図２】  両面ポケット付特殊サポーター
【図３】  指仕切り布
【図４】  サポーターと指仕切り布の組み合わせ図
【図５】  装着使用図
【符号の説明】
１．  親指差込開口部
２．  筒状のサポーター
３．  上部開口部
４．  接着面テープ
５．  両面ポケット
６．  ポケット挿入口
７．  両面ポケット付サポーター
８．  指仕切り布
９．  指仕切り布とサポーターの縫い付け部
【図１】
2007229421.tif 000003
【図２】
2007229421.tif 000004
【図３】
2007229421.tif 000005
【図４】
2007229421.tif 000006
【図５】
2007229421.tif 000007